(57)【特許請求の範囲】
【請求項１】
前面に開口した筐体に開閉自在な扉を設け、前記筐体内に収納したホースを接続したノズルを前記筐体の前部に着脱自在に保持し、前記扉を開いてノズル付きのホースを引き出して放水する消火栓装置に於いて、
前記扉の裏面に、前記筐体から引き出す前記ホースを扉裏面及び又は化粧板のエッジに接触しないように規制するフェンスを配置し、前記フェンスは、少なくとも一部を前記扉裏面から隙間を有するように離したものであり、
前記フェンスと前記扉裏面との隙間を、前記ホースの直径と同じか、それより大きくし、前記フェンスと前記扉裏面との間に所定間隔で縦バーを設けたことを特徴とする消火栓装置。
【請求項２】
前面に開口した筐体に開閉自在な扉を設け、前記筐体内に収納したホースを接続したノズルを前記筐体の前部に着脱自在に保持し、前記扉を開いてノズル付きのホースを引き出して放水する消火栓装置に於いて、
前記扉の裏面に、前記筐体から引き出す前記ホースを扉裏面及び又は化粧板のエッジに接触しないように規制するフェンスを配置し、前記フェンスは、少なくとも一部を前記扉裏面から隙間を有するように離したものであり、
前記フェンスを前記扉裏面の前方及び側方に分けて裏面周囲の全体又は一部を囲むように配置したことを特徴とする消火栓装置。
【請求項３】
前面に開口した筐体に開閉自在な扉を設け、前記筐体内に収納したホースを接続したノズルを前記筐体の前部に着脱自在に保持し、前記扉を開いてノズル付きのホースを引き出して放水する消火栓装置に於いて、
前記扉の裏面に、前記筐体から引き出す前記ホースを扉裏面及び又は化粧板のエッジに接触しないように規制するフェンスを配置し、前記フェンスは、少なくとも一部を前記扉裏面から隙間を有するように離したものであり、
前記フェンスを前記扉裏面の前方及び側方の裏面の全部又は一部を連続して囲むように配置したことを特徴とする消火栓装置。
【請求項４】
前面に開口した筐体に開閉自在な扉を設け、前記筐体内に収納したホースを接続したノズルを前記筐体の前部に着脱自在に保持し、前記扉を開いてノズル付きのホースを引き出して放水する消火栓装置に於いて、
前記扉の裏面に、前記筐体から引き出す前記ホースを扉裏面及び又は化粧板のエッジに接触しないように規制するフェンスを配置し、前記フェンスは、少なくとも一部を前記扉裏面から隙間を有するように離したものであり、
前記扉裏面の側方に配置するフェンスは、フェンス前方を前記扉裏面に直接接触し、フェンス後方を前記ホースの直径以下の高さとなるように傾斜配置又は湾曲配置したことを特徴とする消火栓装置。
【請求項５】
前面に開口した筐体に開閉自在な扉を設け、前記筐体内に収納したホースを接続したノズルを前記筐体の前部に着脱自在に保持し、前記扉を開いてノズル付きのホースを引き出して放水する消火栓装置に於いて、
前記扉の裏面に、前記筐体から引き出す前記ホースを扉裏面及び又は化粧板のエッジに接触しないように規制するフェンスを配置し、前記フェンスは、少なくとも一部を前記扉裏面から隙間を有するように離したものであり、
前記扉の裏面に、前記筐体内に設けた消火栓弁を開閉操作する操作箱を設けた場合、前記筐体から引き出す前記ホースを前記操作箱及び前記扉裏面のエッジに接触しないように規制する位置に前記フェンスを配置したことを特徴とする消火栓装置。
【発明の詳細な説明】
【技術分野】
【０００１】
本発明は、筐体の前面開口に設けた扉を開いて筐体に収納したノズル付きのホースを引き出して放水する消火栓装置に関する。
【背景技術】
【０００２】
従来、高速道路や自動車専用道路などのトンネルに設置されるトンネル消火栓装置は、開放自在な扉を備えた筐体内に、先端にノズルを装着したホースとバルブ類を収納し、開閉自在な消火器扉を備えた消火器収納部に例えば２本の消火器を収納している。
【０００３】
また、ホース先端に接続したノズルは、筐体前面に着脱自在に配置するか、扉裏面に着脱自在に配置している。また、消火栓弁を開閉する消火栓弁開閉レバーについては、筐体内に収納した消火栓弁に消火栓弁開閉レバーを設けて直接操作するか、あるいは扉裏面に配置した操作箱に消火栓弁開閉レバーを設けて遠隔操作するようにしている。
【０００４】
更に、筐体に対するホースの収納は、ホースリールにホースを巻いたホースリール方式、または筐体のホース収納部にホースを内巻きした内巻き方式がある。
【０００５】
このような消火栓装置は火災を伴う車両事故の発生時に、扉を開いてノズル付きのホースを引き出し、消火栓弁開閉レバーを操作することで消火ポンプ設備を起動して放水を行うことができる。
【０００６】
また従来のトンネル消火栓装置においては、前傾式扉の裏面の収納空間を背面板（平板）で覆い、ホースを引き出す際に、障害物のない背面板上を円滑に移動させるよう工夫しているものもある（特許文献１）。
【先行技術文献】
【特許文献】
【０００７】
【特許文献１】実開平４−１１７６６１号公報
【発明の概要】
【発明が解決しようとする課題】
【０００８】
しかしながら、このような前傾式扉の裏面の収納空間を背面板（平板）で覆った構造のトンネル消火栓装置では、ホースと背面板の接触面積が大きくなるため、筐体からホースを引き出す場合の摩擦抵抗が大きくなり、さらにホース内に加圧水が充水されて自重が大きくなった場合、より引き出しにくくなるという問題があった。
【０００９】
また前傾扉の裏面を収納空間として使用する場合は、背面板との空間は扉厚さ分に制限されるため、例えば消火栓弁の開閉操作に使用する消火栓弁開閉装置などの機器を自由に収納できないという問題がある。
【００１０】
この場合、前傾式扉の裏面に設けた消火栓弁開閉装置などの機器を覆うように背面板を配置して収納空間を高くすることも考えられるが、扉裏面の収納空間を高くした場合は、前傾式扉を閉じた場合に、高くした収納空間を筐体内に収納する必要があるため、その分、筐体のホースや配管等の収納スペースを制約するという問題がある。
【００１１】
この問題を解決するため本願出願人にあっては、前傾式扉の裏面に、筐体から引き出したホースを案内する複数本のガイドバーを配置するようにした消火栓装置を提案している（特願２０１４−０８５３３２）。このような消火栓装置によれば、筐体から引き出したホースと複数のガイドバーとは点接触となり、ホースとの接触抵抗が従来の背面板とは全く別の構造としたことで大幅に低減し、ホース内に加圧水が充水されて自重が大きくなった場合でも、より引き出し易くすることを可能とするようにしている。
【００１２】
しかしながら、扉裏面に複数本のガイドバーを配置した消火栓装置にあっては、筐体からホースを引き出した場合、扉裏面及び又は化粧板のエッジ部分にホースが接触して引き出される場合があり、扉エッジ部分がホースで擦られて塗装が剥げたり、ホースが損耗する問題が残されている。
【００１３】
本発明は、扉裏面や化粧板のエッジに対するホースの接触を規制して扉裏面又は化粧板の塗装やホースの摩耗を抑制可能とする消火栓装置を提供することを目的とする。
【課題を解決するための手段】
【００１４】
（筐体にノズルを配置した消火栓装置）
本発明は、前面に開口した筐体に開閉自在な扉を設け、筐体内に収納したホースを接続したノズルを筐体の前部に着脱自在に保持し、扉を開いてノズル付きのホースを引き出して放水する消火栓装置に於いて、
扉の裏面に、筐体から引き出すホースを扉裏面のエッジに接触しないように規制するフェンスを配置し、フェンスは、少なくとも一部を扉裏面から隙間を有するように離したものであることを特徴とする。
【００１５】
（扉裏面にノズルを配置した消火栓装置）
本発明は、前面に開口した筐体に開閉自在な扉を設け、筐体内に収納したホースを接続したノズルを扉の裏面に着脱自在に保持し、扉を開いてノズル付きのホースを引き出して放水する消火栓装置に於いて、
扉の裏面に、ノズルを扉裏面に保持した状態でノズルに連結するホース引出し部分が扉裏面の外側に出ないように規制すると共に筐体から引き出すホースを扉裏面のエッジに接触しないように規制するフェンスを配置し、フェンスは、少なくとも一部を扉裏面から隙間を有するように離したものであることを特徴とする。
【００１６】
（ホース直径より小さいフェンスの隙間）
フェンスと扉裏面との隙間を、ホースの直径より小さくする。
【００１７】
（ホース直径と同じか、それより大きいフェンスの隙間）
フェンスと扉裏面との隙間を、ホースの直径と同じか、それより大きくし、フェンスと扉裏面との間に所定間隔で縦バーを設ける。
【００１８】
（バー部材）
フェンスは、扉裏面との間に隙間を有した上辺がバー部材で構成されている。
【００１９】
（前方及び側方に分離配置したフェンス構造）
フェンスを扉裏面の前方及び側方に分けて裏面周囲の全体又は一部を囲むように配置する。
【００２０】
（前方及び側方に連続配置したフェンス構造）
フェンスを扉裏面の前方及び側方の裏面の全部又は一部を連続して囲むように配置する。
【００２１】
（連続フェンス構造のコーナー部に縦バーを配置）
フェンスを扉裏面の前方及び側方の裏面の全部又は一部を連続して囲むように配置し、フェンスのコーナー部に縦バーを配置する。
【００２２】
（連続フェンスの窪み）
フェンスを扉裏面の前方及び側方の裏面の全部又は一部を連続して囲むように配置し、フェンスの途中に窪みを形成してホースの引き出し位置を仮決めするホース仮係止部を設ける。
【００２３】
（側方を傾斜又は湾曲したフェンス構造）
扉裏面の側方に配置するフェンスは、フェンス前方を扉裏面に直接接触し、フェンス後方をホースの直径以下の高さとなるように傾斜配置又は湾曲配置する。
【００２４】
（消火栓弁操作箱のフェンス）
扉の裏面に、筐体内に設けた消火栓弁を開閉操作する操作箱を設けた場合、筐体から引き出すホースを操作箱及び扉裏面のエッジに接触しないように規制する位置にフェンスを配置する。
【００２５】
（ガイドバー）
扉の裏面に、筐体から引き出したホースを案内する複数本のガイドバーを配置する。
【発明の効果】
【００２６】
（筐体にノズルを配置した消火栓装置の効果）
本発明は、前面に開口した筐体に開閉自在な扉を設け、筐体内に収納したホースを接続したノズルを筐体の前部に着脱自在に保持し、扉を開いてノズル付きのホースを引き出して放水する消火栓装置に於いて、扉の裏面に、筐体から引き出すホースを扉裏面及び又は化粧板のエッジに接触しないように規制するフェンスを配置するようにしたため、筐体からホースを引き出しても扉裏面及び又は化粧板のエッジと擦れることがなく、エッジの塗装の剥がれやホースの損耗を防止可能とする。
【００２７】
（扉裏面にノズルを配置した消火栓装置の効果）
本発明は、前面に開口した筐体に開閉自在な扉を設け、筐体内に収納したホースを接続したノズルを扉の裏面に着脱自在に保持し、扉を開いてノズル付きのホースを引き出して放水する消火栓装置に於いて、扉の裏面に、ノズルを扉裏面に保持した状態でノズルに連結するホース引出し部分が扉裏面の外側に出ないように規制すると共に筐体から引き出すホースを扉裏面のエッジに接触しないように規制するフェンスを配置するようにしたため、扉裏面に保持したノズルに連結するホース引出し部分が扉裏面の外側にはみ出すことがなく、ホースが扉裏面からはみ出して扉の開閉が円滑にできなくなることを確実に防止可能とする。
【００２８】
また、筐体からホースを引き出しても扉裏面及び又は化粧板のエッジと擦れることがなく、エッジの塗装の剥がれやホースの損耗を防止可能とする。
【００２９】
（フェンスの隙間による効果）
また、フェンスと扉裏面との隙間を、ホースの直径より小さくするようにしたため、ホースの一部分を扉裏面に位置している場合に、フェンスの隙間を通ってホースが外側へはみ出すことを確実に防止可能とする。
【００３０】
また、フェンスと扉裏面との隙間を、ホースの直径と同じか、それより大きくし、フェンスと扉裏面との間に所定間隔で縦バーを設けるようにしたため、縦バーによってフェンスの隙間を通ってホースが外側へはみ出すことを確実に防止可能とする。
【００３１】
（前方及び側方に分離配置したフェンス構造の効果）
また、フェンスを扉裏面の前方及び側方に分けて裏面周囲の全体又は一部を囲むように配置するようにしたため、扉裏面に対するフェンスの取付けが簡単になる。
【００３２】
（前方及び側方に連続配置したフェンス構造の構造）
また、フェンスを扉裏面の前方及び側方の裏面の全部又は一部を連続して囲むように配置するようにしたため、フェンスに切れ目がないことで、ホースの引き出し方向に依存することなく、ホースとの接触が安定化できる。
【００３３】
（連続フェンス構造のコーナー部に縦バーを配置した効果）
また、フェンスを扉裏面の前方及び側方の裏面の全部又は一部を連続して囲むように配置し、フェンスのコーナー部に縦バーを配置するようにしたため、フェンスのコーナー部の隙間にホースが挟み込まれることを確実に防止可能とする。
【００３４】
（連続フェンスの窪みによる効果）
また、フェンスを扉裏面の前方及び側方の裏面の全部又は一部を連続して囲むように配置し、フェンスの途中に窪みを形成してホースの引き出し位置を仮決めするホース仮係止部を設けるようにしたため、筐体に収納したホースは引出しに伴いフェンス窪みのホース仮係止部に誘導されて入り、ホース仮係止部を介して引き出されることで、ホースの消火栓扉における引き出し位置が決まり、ホース引出しを安定させることを可能とする。
【００３５】
（側方を傾斜又は湾曲したフェンス構造による効果）
また、扉裏面の側方に配置するフェンスは、フェンス前方を扉裏面に直接接触し、フェンス後方をホースの直径以下の高さとなるように傾斜配置又は湾曲配置するようにしため、フェンスの前方部分はフェンスとして機能せずに開放し、フェンスの後方部分がフェンスとして機能し、筐体からホースを引き出しても扉裏面のエッジと擦れることがなく、エッジの塗装の剥がれやホースの損耗を防止可能とする。
【００３６】
（消火栓弁操作箱に配置したフェンスの効果）
また、扉の裏面に、筐体内に設けた消火栓弁を開閉操作する操作箱を設けた場合、筐体から引き出すホースを操作箱及び扉裏面のエッジに接触しないように規制する位置にフェンスを配置するようにしたため、扉裏面のエッジに加え、扉裏面に配置した操作箱のエッジに対するホースの接触を確実に抑止可能とする。
【００３７】
（ガイドバーによる効果）
また、扉の裏面に、筐体から引き出したホースを案内する複数本のガイドバーを配置するようにしたため、前述したフェンスの配置による効果に加え、ガイドバーの配置による効果、即ち、筐体から引き出したホースと複数のガイドバーとは点接触となり、ホース内に加圧水が充水されて自重が大きくなった場合でも、より引き出し易くする効果が得られる。
【図面の簡単な説明】
【００３８】
【図１】本発明による消火栓装置の実施形態を正面から示した説明図
【図２】図１の消火栓扉を外して本体内部構造を示した正面図
【図３】消火栓扉を開いた状態で内部構造を示した正面図
【図４】図３の消火栓扉を取り出して裏面の平面、正面、両側面を示した説明図
【図５】図３の消火栓扉を取り出してフェンス構造を示した説明図
【図６】消火栓扉を開放した場合の左側面を示した説明図
【図７】消火栓扉を開放した場合の右側面を示した説明図
【図８】前方及び側方に連続するフェンス構造を備えた消火栓扉を示した説明図
【図９】ホース仮係止部をもつ連続フェンス構造備えた消火栓扉を示した説明図
【図１０】側方に傾斜配置するフェンス構造を備えた消火栓扉を示した説明図
【図１１】側方に湾曲配置するフェンス構造を備えた消火栓扉を示した説明図
【図１２】筐体開口とのコーナーを鈍角とする側方フェンス構造を備えた前傾式扉を示した説明図
【図１３】図１２の消火栓扉を取り出して示した説明図
【図１４】筐体の前部にノズルを保持した消火栓装置の扉を外して本体内部構造を示した正面図
【図１５】図１４の消火栓装置の扉開放状態を示した正面図
【図１６】図１４の消火栓装置の扉開放状態を示した側面図
【図１７】図１５の消火栓扉を取り出して示した説明図
【図１８】図１４に用いる前方及び両側に連続するフェンス構造を備えた消火栓扉を示した説明図
【図１９】図１４に用いるホース仮係止部をもつ連続フェンス構造備えた消火栓扉を示した説明図
【図２０】図１４に用いる側方に傾斜配置するフェンス構造を備えた消火栓扉を示した説明図
【図２１】図１４に用いる側方に湾曲配置するフェンス構造を備えた消火栓扉を示した説明図
【発明を実施するための形態】
【００３９】
［消火栓装置の概要］
図１は本発明の消火栓装置を示した正面図、図２は図１の消火栓扉を外して本体内部構造を示した正面図、図３は消火栓扉を開いた状態で内部構造を示した平面図である。
【００４０】
図１に示すように、消火栓装置１０は、消火栓側と消火器側に筐体１２を分割した構造であり、前面に分割した化粧板１４を各々装着し、筐体１２に対し必要な機器及び部材を組付けた後に連結固定し、この状態でトンネル現場に搬入して架台１１上に設置している。
【００４１】
右側の化粧板１４の扉開口部１６は上下に２分割し、下側扉開口部にヒンジ２１により下向きに開く前傾式の消火栓扉１８を配置し、上側扉開口部にヒンジ２３により上向きに開く保守扉２２を配置し、その内部をホース収納部及びバルブ類収納部としている。
【００４２】
消火栓扉１８は、下側のヒンジ２１を中心に開閉自在に設け、マグネットと受け板を用いた扉ロック機構により閉止位置に閉じている。消火栓扉１８は、ハンドル２０を手前に引いて扉ロック機構の磁気吸着によるロックを外すことで前方に開閉することができる。
【００４３】
消火栓扉１８の上にはヒンジ２３により開閉する保守扉２２を設け、マグネットと受け板を用いた扉ロック機構により閉止位置に閉じており、点検時に消火栓扉１８を開き、保守扉２２を上にあげて扉ロック機構の磁気吸着によるロックを外すことで開くことができる。給水栓を使用する場合も同様に操作することで簡単に開くことができる。
【００４４】
扉開口部１６の左側には通報装置扉２４を設け、ここに赤色表示灯２６、発信機２８及び応答ランプ３０を設け、また通報装置扉２４の内側には図２に示すように電話ジャック３１を設けている。
【００４５】
赤色表示灯２６は常時点灯し、消火栓装置１０の設置場所が遠方から分かるようにしている。火災時には、発信機２８を押して押し釦スイッチをオンすると、発信信号が監視室の火災受信機に送信されて火災警報が出され、これに伴い応答信号が火災受信機から送られて、応答ランプ３０を点灯する。
【００４６】
通報装置扉２４の左側には開放可能な消火器扉３２を設け、例えば２本の消火器を収納している。消火器扉３２にはハンドル３４を設け、ハンドル３４を手前に引くとラッチあるいはマグネットが外れて消火器扉３２を左側に開くことができる。また、消火器扉３２の下側には覗き窓３５を設け、外部から消火器の収納状態の有無を確認可能としている。
【００４７】
図２に示すように、保守扉２２は上向きに開いてステー２７で支持するが、消火栓装置の保守以外には通常閉じられている。
【００４８】
筐体１２の略中央にはホース収納部３６を形成し、その右側にバルブ類収納部３８を形成している。ホース収納部３６には、ホースバケット構造４０を設ける。ホースバケット構造４０は、バケットフレームの中央から右側にオフセットした位置、即ち扉開口部１６の左右方向における略中央となる位置に、ホース取出口４２を仕切り形成するように、水平方向の２本のバケットフレームと縦方向の２本のホースガイドを配置し、ホース取出口４２の下側には、前方に張出し形成された張出ホースガイド４６を設け、更に、ホース取出口４２の右側に取付板４３を配置し、取付板４３から奥行き方向に２本のパケットフレームを配置している。
【００４９】
ホース取出口４２及び張出ホースガイド４６は、ホース４４を引き出す際に内巻きしているホース４４が崩れたり、扉開口部１６に擦れてホース４４が損傷したり折れたりすることを防ぎ、更に開放している消火栓扉１８の右端又は左端にホース４４が引っかかって引き出せなくなることを防ぐ。特に、張出ホースガイド４６はホース４４を左方向に引き出す際のホースの急激な折れ曲がりを緩和して滑らかな引き出しを可能とする。
【００５０】
ホースバケット構造４０及び筐体内壁で囲まれたホース収納部３６にはホース４４を内巻きして収納している。ここで、ホース収納部３６へのホース４４の巻き込みは、扉開口部１６から見て右巻きとなるようにホース４４を巻き込んでいる。
【００５１】
図３に示すように、ホース４４の先端にはノズル４８を装着し、ノズル４８は放水部とハンドルで構成しており、消火栓扉１８の裏面に配置したノズルホルダ５０に対しハンドルを手前に向けた状態で着脱自在に保持している。
【００５２】
ホース収納部３６の右側に形成したバルブ類収納部３８には、ポンプ設備からの配管を接続する消火栓接続口５１からホース４４に至る配管系統に、給水弁５２、消火栓弁５４、自動調整弁、自動排水弁、安全弁及びメンテナンス装置を設けている。
【００５３】
このうち消火栓弁５４の横には機器ボックス５５が配置され、消火栓扉１８の裏面に配置された操作箱５６に設けた消火栓弁開閉レバー５８により遠隔的に消火栓弁５４を開閉操作できるようにしている。
【００５４】
消火器扉１８の扉裏面の前側及び左側に前方フェンス６０ａと側方フェンス６０ｂを起立して配置し、また、操作箱５６の周囲を囲んでガードフェンス６２を設けている。
【００５５】
［消火栓扉の裏面構造］
図４は図３の消火栓扉を取り出して扉裏面を示した説明図であり、図４（Ａ）に平面を示し、図４（Ｂ）に正面を示し、図４（Ｃ）に左側面を示し、図４（Ｄ）に右側面を示す。図５は図３の消火栓扉を取り出してフェンス構造を示した説明図であり、操作箱及びガイドバーは省略している。図６は消火栓扉を開放した場合の左側面を示した説明図、図７は消火栓扉を開放した場合の右側面を示した説明図である。
【００５６】
図４及び図５に示すように、消火栓扉１８の扉裏面１８ａの外周に近い周囲を囲む部分に、操作箱５６の配置部分を除いて、前方フェンス６０ａと側方フェンス６０ｂを起立して配置している。
【００５７】
前方フェンス６０ａ及び側方フェンス６０ｂと扉裏面１８ａとの隙間は、ホース４４の直径より小さくしており、この隙間を通ってホース４４が外側に出ないようにしている。また、前方フェンス６０ａ及び側方フェンス６０ｂと扉裏面１８ａとの隙間は、ホース４４の直径と同じか、それより大きくしても良く、この場合には縦バーを適切な間隔で設けてホースが外にはみ出さないようにする。
【００５８】
また、操作箱５６の両側及び上部を囲むようにガードフェンス６２を配置しており、ガードフェンス６２は操作箱５６を超える高さとしている。
【００５９】
このように前方フェンス６０ａ、側方フェンス６０ｂ及びガードフェンス６２の配置により、消火栓扉１８の扉裏面１８ａに、筐体１２から引き出すホース４４を扉裏面１８ａの周囲のエッジに接触しないように規制するフェンス構造を実現している。
【００６０】
このようなフェンス構造により、図６及び図７に示すように、消火栓扉１８を斜め下向きに開いてノズル付きのホース４４を筐体１２から引き出す場合、筐体１２から引き出したホース４４は扉裏面１８ａに配置した前方フェンス６０ａ、側方フェンス６０ｂ又はガードフェンス６２に接触して扉裏面１８ａのエッジに接触して擦れることがなく、エッジの塗装の剥がれやホース４４の損耗を防止可能としている。
【００６１】
また、操作箱５６を囲むようにガードフェンス６２を配置したことで、筐体１２から引き出したホース４４が操作箱５６のエッジに接触することもなく、エッジとの擦れによるホース４４の損耗を防止可能とし、また、消火栓弁開閉レバー５８にホース４４が接触して５８ａに示す開位置に動いてしまうことを防止可能とする。
【００６２】
ここで、図６及び図７に示すように、消火栓扉１８を斜め下向きに開いてホース４４を引き出す場合には、操作箱５６に設けている消火栓弁開閉レバー５８を下向きに回動して消火栓弁開閉レバー５８ａに示す開位置に操作しており、引き出したホース４４が消火栓弁開閉レバー５８のレバーアームの部分に当るようなことは起きない。また、消火栓弁開閉レバー５８ａで示す開位置に操作した状態でホース４４が接触することで、誤って元の閉位置に戻ってしまうようなこともない。
【００６３】
一方、図３に示したように、消火栓扉１８の扉裏面に配置したノズルホルダ５０にノズル４８を保持した場合、ノズル４８からホースバケット構造４０のホース取出口４２に至るホース４４の引き出し部分が前方フェンス６０ａ及び側方フェンス６０ｂの内側に押し当てられ、前方フェンス６０ａ及び側方フェンス６０ｂの隙間はホース４４の直径よりも小さくしているため、その周囲となる外側へのはみ出すことを規制して扉裏面１８ａ内に納める構造としている。
【００６４】
また、前方フェンス６０ａ及び側方フェンス６０ｂの隙間はホース４４の直径より大きくしても良く、この場合には縦バーを適切な間隔で設けてホース４４が外にはみ出さないようにすることで、ホース取出口４２からのホース４４の引き出し部分が前方フェンス６０ａ及び側方フェンス６０ｂの内側に押し当てられ、その周囲となる外側へのはみ出すことを規制して扉裏面１８ａ内に納める構造することができる。
【００６５】
このように前方フェンス６０ａ及び側方フェンス６０ｂによりホース４４が扉裏面１８ａの周囲となる外側にはみ出さないように規制することで、ホース４４が扉裏面１８ａから外側にはみ出し、消火栓扉１８を閉鎖する場合に筐体１２の扉開口部１６との間に挟まって閉鎖できなくなる不具合を防止し、扉裏面１８ａにノズル４８を保持していても、消火栓扉１８の開閉を円滑に行うことを可能にしている。
【００６６】
更に、図４に示すように、消火栓扉１８の扉裏面１８ａには、横方向に複数本のガイドバー７０を配置し、筐体１２から引き出したホース４４の扉裏面１８ａとの接触を、ガイドバー７０との点接触とし、ホースを４４引き出す際の摩擦抵抗を低減し、ホース内に加圧水が充水されて自重が大きくなった場合でも、より引き出し易くすることを可能としている。
【００６７】
［フェンス構造の他の実施形態］
（連続フェンス構造）
図８は前方及び側方に連続するフェンス構造を備えた消火栓扉を示した説明図である。図８に示すように、本実施形態のフェンス構造は、消火栓扉１８における扉裏面１８ａの前方及び左側方を囲むようにフェンス６０を起立して配置しており、更に、フェンス６０の前方右端を、操作箱に対応して設けたガードフェンス６２の左側前部につながるように配置している。また、フェンス６０の隙間はホースの直径と同じか、それより小さくても大きくても良く、特に隙間がホース直径より大きい場合はホースが隙間から外にはみ出さないように縦バー６４を適切な間隔で設けてホースがはみ出さにないようにする。さらに、フェンス６０のコーナー部分については必ず縦バー６４を設け、コーナー部分にホースが挟まってしまうことを防止する。
【００６８】
この前方及び左側方を囲むように連続したフェンス６０としたことで、フェンス６０の扉裏面１８ａに対する取付固定が、前方及び側方に分割した図５の分割フェンス構造に比べて容易になる。また、前方と側方の繋ぎ部分に窪みができないため、その部分でのホースのエッジ接触を確実に防止可能とする。
【００６９】
（ホース仮係止部をもつ連続フェンス構造）
図９は窪みをもつ連続フェンス構造備えた消火栓扉を示した説明図である。図９に示すように、本実施形態のフェンス構造は、消火栓扉１８における扉裏面１８ａの前方及び左側方を囲むようにフェンス６０を起立して配置し、更に、フェンス６０の前方右端を、操作箱に対応して設けたガードフェンス６２の左側前部につながるように配置している。
【００７０】
これに加えフェンス６０の前方及び側方の途中、例えば略中央に窪みを形成してホースの引き出し位置を仮決めするホース仮係止部６６を設けている。このようにフェンス６０の途中にホース仮係止部６６を設けたことで、筐体に収納したホースは引出しに伴いホース仮係止部６６に誘導されて入り、ホース仮係止部６６を介して引き出されることで、ホースの消火栓扉１８における引き出し位置が決まり、ホース引出しを安定させることを可能とする。
【００７１】
（傾斜フェンス構造）
図１０は側方に傾斜配置のフェンス構造を備えた消火栓扉を示した説明図である。図１０に示すように、本実施形態のフェンス構造は、消火栓扉１８における扉裏面１８ａの前方フェンス６０ａ及びガードフェンス６２は図５と同様であるが、左側の側方フェンスとして、フェンス前方を扉裏面１８ａに直接接触し、フェンス後方（筐体側）をホースの直径以下の高さとなるように傾斜角θ１で傾斜した傾斜フェンス６０ｃを配置している。
【００７２】
この傾斜フェンス構造は、傾斜フェンス６０ｃの前方の扉裏面１８ａに接触した部分はフェンスとして機能せずに開放しており、傾斜フェンス６０ｃの後方部分がエッジとの接触をなくすフェンスとして機能する。即ち、扉裏面１８ａのホースを収納する部分はフェンスで囲まれた構造とはなっていない。
【００７３】
また、消火栓扉１８を開放した状態で横から見ると、扉開口部１６の垂直部分に対し傾斜フェンス６０ｃが（９０°＋θ１）の鈍角で交わるコーナーを形成しており、図６及び図７に比べてコーナーの角度を大きくすることで、ホースを左側方に引き出してコーナー部分に接触した場合の摩擦抵抗を低減可能とし、ホースの引き出しをより行い易くする。
【００７４】
（湾曲フェンス構造）
図１１は側方に湾曲配置のフェンス構造を備えた前傾式扉を示した説明図である。図１１に示すように、本実施形態のフェンス構造は、消火栓扉１８における扉裏面１８ａの前方フェンス６０ａ及びガードフェンス６２は図５と同様であるが、左側方のフェンスとして、フェンス前方を扉裏面１８ａに直接接触し、フェンス後方をホースの直径以下の高さとなるように下向きに湾曲した湾曲フェンス６０ｄを配置している。
【００７５】
この湾曲フェンス構造も、湾曲フェンス６０ｄの前方の扉裏面１８ａに接触した部分はフェンスとして機能せずに開放しており、湾曲フェンス６０ｄの後方部分が化粧板１４のエッジとの接触をなくすフェンスとして機能する。即ち、扉裏面１８ａのホースを収納する部分はフェンスで囲まれた構造とはなっていない。
【００７６】
また、図１０の傾斜フェンスの場合と同様に、消火栓扉１８を開放した状態で横から見ると、扉開口部１６の垂直部分に対し湾曲フェンス６０ｄが９０°を超える鈍角で交わるコーナーを形成しており、図６及び図７に比べてコーナーの角度を大きくすることで、ホースを左側方に引き出してコーナー部分に接触した場合の摩擦抵抗を低減可能とし、ホースの引き出しをより行い易くする。
【００７７】
（筐体開口とフェンスとを鈍角とするフェンス構造）
図１２は筐体開口に連続する側方のフェンス構造を備えた消火栓扉の開放状態を側面で示した説明図、図１３は図１２の前傾式扉を取り出して示した説明図であり、図１３（Ａ）は斜視図を示し、図１３（Ｂ）は側面を示す。
【００７８】
図１２に示すように 消火栓装置１０の筐体１２に対し消火栓扉１８を斜め下向きに開放した場合、消火栓扉１８の扉裏面１８ａに起立配置している側方フェンス６０ｂの筐体側の起立部位６５を、筐体１２の扉開口部１６の中に位置するように起立している。
【００７９】
このため消火栓扉１８を開放した状態で横から見ると、扉開口部１６の垂直部分に対し側方フェンス６０ｂが９０度以下の鈍角θ２で交わるコーナーを形成しており、図６及び図７に比べてコーナーの角度を大きくすることで、ホースを左側方に引き出してコーナー部分に接触した場合の摩擦抵抗を低減可能とし、ホースの引き出しをより行い易くする。
【００８０】
また、操作箱を囲んで起立配置するガードフェンス６２についても、開放した消火栓扉１８の扉裏面１８ａに起立配置しているガードフェンス６２の筐体側の起立部位６３を、筐体１２の扉開口部１６の中に位置するように起立し、扉開口部１６の垂直部分に対しガードフェンス６２が９０度以下の鈍角θ２で交わるコーナーを形成し、ホースを右側方に引き出してガードフェンス６２のコーナー部分に接触した場合の摩擦抵抗を低減可能とし、ホースの引き出しをより行い易くする。
【００８１】
［ノズルを筐体前部に保持した消火栓装置］
図１４は筐体の前部にノズルを保持した消火栓装置の扉を外して本体内部構造を示した正面図、図１５は図１４の消火栓装置の扉開放状態を示した平面図、図１６は図１４の消火栓装置の扉開放状態を示した側面図、図１７は図１５の扉を取り出して示した説明図である。
【００８２】
（消火栓装置の概要）
図１４乃至図１６に示すように、本実施形態の消火栓装置１０は、筐体１２内のホースバケット構造４０に形成したホース取出口４２の左側に固定した取付板４３に配置したノズルホルダ５０にノズル４８を着脱自在に保持している。また、消火栓扉１８は前方の水平位置に開放する。更に、消火栓弁に対し直接に消火栓弁開閉レバー５８を設けている。それ以外の点は、図１乃至図３に示した、消火栓扉を斜め下向きに開放し、また、消火栓扉の扉裏面にノズルを保持すると共に操作箱を配置した実施形態と基本的に同じになる。
【００８３】
（消火栓扉の扉裏面構造）
図１５乃至図１７に示すように、消火栓扉１８の扉裏面１８ａの外周に近い周囲を囲んで、前方フェンス６０ａと一対の側方フェンス６０ｂを起立配置している。
【００８４】
前方フェンス６０ａ及び一対の側方フェンス６０ｂと扉裏面１８ａとの隙間は、ホース４４の直径より小さくしており、この隙間を通ってホース４４が外側に出ないようにしている。
【００８５】
また、前方フェンス６０ａ及び側方フェンス６０ｂと扉裏面１８ａとの隙間は、ホース４４の直径と同じか、それより大きくしても良く、この場合には縦バーを適切な間隔で設けてホースが外にはみ出さないようにする。
【００８６】
このように前方フェンス６０ａ及び一対の側方フェンス６０ｂの配置により、消火栓扉１８の扉裏面１８ａに、筐体１２から引き出すホース４４を扉裏面１８ａの周囲のエッジに接触しないように規制するフェンス構造を実現したことで、図１４及び図１５に示すように、消火栓扉１８を水平に開いてノズル付きのホースを筐体１２から引き出す場合、筐体１２から引き出したホース４４は扉裏面１８ａに配置した前方フェンス６０ａ又は一対の側方フェンス６０ｂに接触して扉裏面１８ａのエッジに接触することがなく、エッジの塗装の剥がれやホース４４の損耗を防止可能としている。
【００８７】
更に、図１５及び図１６に示すように、消火栓扉１８の扉裏面１８ａには、横方向に複数本のガイドバー７０を配置し、筐体から引き出したホース４４の扉裏面１８ａとの接触を、ガイドバー７０との点接触とし、ホースを引き出す際の摩擦抵抗を低減し、ホース内に加圧水が充水されて自重が大きくなった場合でも、より引き出し易くすることを可能としている。
【００８８】
（連続フェンス構造）
図１８は図１４に用いる前方及び側方に連続するフェンス構造を備えた消火栓扉を示した説明図である。図１７に示すように、本実施形態のフェンス構造は、消火栓扉１８における扉裏面１８ａの前方及び左右側方を囲むようにフェンス６０を起立して配置している。
【００８９】
この前方及び左右側方を囲むように連続したフェンス６０とすることで、フェンス６０の扉裏面１８ａに対する取付固定が、前方及び側方に分割した図１６の分割フェンス構造に比べて容易になる。また、前方と側方の繋ぎ部分に窪みができないため、その部分でのホースのエッジ接触を確実に防止可能とする。
【００９０】
また、フェンス６０の隙間はホースの直径より小さくても大きくても良く、特に隙間がホース直径と同じか、それより大きい場合はホースが隙間から外にはみ出さないように縦バー６４を適切な間隔で設けてホースがはみ出さにないようにする。さらに、フェンス６０のコーナー部分については必ず縦バー６４を設け、コーナー部分にホースが挟まってしまうことを防止する。
【００９１】
（ホース仮係止部をもつ連続フェンス構造）
図１９は図１４に用いるホース仮係止部をもつ連続フェンス構造備えた消火栓扉を示した説明図である。図１９に示すように、本実施形態のフェンス構造は、消火栓扉１８における扉裏面１８ａの前方及び左右の側方を囲むようにフェンス６０を起立して配置している。
【００９２】
これに加えフェンス６０の前方及び左右の側方の途中、例えば略中央に窪みを形成してホースの引き出し位置を仮決めするホース仮係止部６６を設けている。このようにフェンス６０の途中にホース仮係止部６６を設けたことで、筐体に収納したホースは引出しに伴って何れかのホース仮係止部６６に誘導されて入り、ホース仮係止部６６を介して引き出されることで、ホースの消火栓扉１８における引き出し位置が決まり、ホース引出しを安定させることを可能とする。
【００９３】
（傾斜フェンス構造）
図２０は図１４に用いる側方に傾斜配置のフェンス構造を備えた前傾式扉を示した説明図である。図２０に示すように、本実施形態のフェンス構造は、消火栓扉１８における扉裏面１８ａの前方フェンス６０ａは図１６と同様であるが、左右側方のフェンスとして、フェンス前方を扉裏面１８ａに直接接触し、フェンス後方をホースの直径以下の高さとなるように傾斜角θ１で傾斜した傾斜フェンス６０ｃを配置している。
【００９４】
この傾斜フェンス構造は、傾斜フェンス６０ｃの前方の扉裏面１８ａに接触した部分はフェンスとして機能せずに開放しており、傾斜フェンス６０ｃの後方部分が化粧板１４のエッジとの接触をなくすフェンスとして機能する。即ち、扉裏面１８ａのホースを収納する部分はフェンスで囲まれた構造とはなっていない。
【００９５】
また、消火栓扉１８を開放した状態で横から見ると、扉開口部１６の垂直部分に対し傾斜フェンス６０ｃが（９０°＋θ１）の鈍角で交わるコーナーを形成しており、図１６に比べてコーナーの角度を大きくすることで、ホースを左側方に引き出してコーナー部分に接触した場合の摩擦抵抗を低減可能とし、ホースの引き出しをより行い易くする。
【００９６】
（湾曲フェンス構造）
図２１は図１４に用いる側方に湾曲配置のフェンス構造を備えた消火栓扉を示した説明図である。図２１に示すように、本実施形態のフェンス構造は、消火栓扉１８における扉裏面１８ａの前方フェンス６０ａは図１７と同様であるが、左右側方のフェンスとして、フェンス前方を扉裏面１８ａに直接接触し、フェンス後方をホースの直径以下の高さとなるように下向きに湾曲した湾曲フェンス６０ｄを配置している。
【００９７】
この湾曲フェンス構造も、湾曲フェンス６０ｄの前方の扉裏面１８ａに接触した部分はフェンスとして機能せずに開放しており、湾曲フェンス６０ｄの後方部分がエッジとの接触をなくすフェンスとして機能する。即ち、扉裏面１８ａのホースを収納する部分はフェンスで囲まれた構造とはなっていない。
【００９８】
また、図２０の傾斜フェンスの場合と同様に、消火栓扉１８を開放した状態で横から見ると、扉開口部１６の垂直部分に対し湾曲フェンス６０ｄが９０°を超える鈍角で交わるコーナーを形成しており、図１６に比べてコーナーの角度を大きくすることで、ホースを左側方に引き出してコーナー部分に接触した場合の摩擦抵抗を低減可能とし、ホースの引き出しをより行い易くする。
【００９９】
［本発明の変形例］
上記の実施形態にあっては、ホースを筐体内に内巻きして収納した内巻き方式の消火栓装置を例にとるものであったが、ホースをリールに巻いて筐体に収納するリール方式の消火栓装置についても、同様にして適用できる。
【０１００】
また、上記の実施形態は、前傾式の消火栓扉を設けた消火栓装置について、消火栓扉の扉裏面にノズルを保持すると共に操作箱を設けた場合を例にとっているが、筐体前部にノズルを保持すると共に筐体内の消火栓弁に直接に消火栓弁開閉レバーを設けた消火栓装置に適用しても良い。
【０１０１】
また、水平式の消火栓扉を設けた消火栓装置について、筐体前部にノズルを保持すると共に筐体内の消火栓弁に消火栓弁開閉レバーを設けた場合を例にとっているが、消火栓扉の扉裏面にノズルを保持すると共に操作箱を設けた消火栓装置に適用しても良い。
【０１０２】
また、本発明は、その目的と利点を損なうことのない適宜の変形を含み、更に上記の実施形態に示した数値による限定は受けない。
【符号の説明】
【０１０３】
１０：消火栓装置
１１：架台
１２：筐体
１４：化粧板
１６，１７：扉開口部
１８：消火栓扉
３６：ホース収納部
４２：ホース取出口
４４：ホース
４６：張出ホースガイド
４８：ノズル
５４：消火栓弁
６０：フェンス
６０ａ：前方フェンス
６０ｂ：側方フェンス
６０ｃ：傾斜フェンス
６０ｄ：湾曲フェンス
６２：ガードフェンス
６４：縦バー
６６：ホース仮係止部
７０：ガイドバー
【図１】
0006466673.tif 000002
【図２】
0006466673.tif 000003
【図３】
0006466673.tif 000004
【図４】
0006466673.tif 000005
【図５】
0006466673.tif 000006
【図６】
0006466673.tif 000007
【図７】
0006466673.tif 000008
【図８】
0006466673.tif 000009
【図９】
0006466673.tif 000010
【図１０】
0006466673.tif 000011
【図１１】
0006466673.tif 000012
【図１２】
0006466673.tif 000013
【図１３】
0006466673.tif 000014
【図１４】
0006466673.tif 000015
【図１５】
0006466673.tif 000016
【図１６】
0006466673.tif 000017
【図１７】
0006466673.tif 000018
【図１８】
0006466673.tif 000019
【図１９】
0006466673.tif 000020
【図２０】
0006466673.tif 000021
【図２１】
0006466673.tif 000022